(57)【要約】【課題】使用済みパンツやオムツ等の肌着や衛生用品、その他の種々の汚れた不衛生な物を、衛生的にかつ簡単に処分することができるようにすることにある。【解決手段】袋入口４を有する袋本体２と、前記袋入口４を閉じる縛り紐５とからなり、前記袋本体２は外面フィルム層６と内面フィルム層７の２層からなり、前記外面フィルム層６は低密度ポリエチレン樹脂からなるフィルム層であり、前記内面フィルム層７は除菌剤及び消臭剤を混練した高密度ポリエチレン樹脂からなるフィルム層であり、前記内面フィルム層７は外面フィルム層６より薄く形成されている。【選択図】  図１
2005067857.tif 000002
【特許請求の範囲】
【請求項１】
袋入口を有する袋本体と、前記袋入口を閉じる縛り紐とからなり、前記袋本体は外面フィルム層と内面フィルム層の２層からなり、前記外面フィルム層は低密度ポリエチレン樹脂からなるフィルム層であり、前記内面フィルム層は除菌剤及び消臭剤を混練した高密度ポリエチレン樹脂からなるフィルム層であり、前記内面フィルム層は外面フィルム層より薄く形成された使用済み汚臭物廃棄袋。
【請求項２】
樹脂に混練する除菌剤はサリチル酸メチル又はクレゾールであり、消臭剤はメントールである請求項１記載の使用済み汚臭物廃棄袋。
【請求項３】
縛り紐は袋本体の袋入口の近傍に設けられている請求項１又は２記載の使用済み汚臭物廃棄袋。
【請求項４】
縛り紐はポリエチレン又はポリプロピレンの延伸ヤーンによって形成された請求項１、２又は３記載の使用済み汚臭物廃棄袋。
【発明の詳細な説明】
【技術分野】
【０００１】
この発明は各種の汚れた物を廃棄するための使用済み汚臭物廃棄袋に関し、主に使用済み紙パンツや紙オムツ等の使用済み用品を収納して廃棄する使用済み汚臭物廃棄袋に関するものである。
【背景技術】
【０００２】
従来から例えば赤ちゃんや幼児の紙オムツや紙パンツを取り換えたときに、汚物で汚れた紙オムツ等は、ビニール袋に入れたり新聞紙で包んだりして廃棄している。
【発明の開示】
【発明が解決しようとする課題】
【０００３】
しかしながら、前記したように紙オムツ等の廃棄する汚れた物をビニール袋に入れたり新聞紙で包んだだけでは、嫌な臭いが辺りに漂って周囲環境を悪くする。また、ビニール袋に入れたり新聞紙で包んで一時的に部屋の隅などに置いておくと、大腸菌等が増殖して不衛生であった。
【０００４】
本発明は前記のような点に鑑みて開発されたものであり、使用済みパンツやオムツ等の肌着や衛生用品、その他の種々の汚れた不衛生な物を、衛生的にかつ簡単に処分することができる使用済み汚臭物廃棄袋を提供することを目的とする。
【０００５】
なお、本発明に関連する先行の特許文献としては次のような文献がある。
【特許文献１】特開２００１−２０６５０１号公報
【特許文献２】特開平６−１２５９７１号公報
【特許文献３】特開平６−４８９０３号公報
【課題を解決するための手段】
【０００６】
前記した目的を有効に達成するために開発したのが本発明の使用済み汚臭物廃棄袋である。すなわち、請求項１記載の本発明の使用済み汚臭物廃棄袋は、袋入口を有する袋本体と、前記袋入口を閉じる縛り紐とからなり、前記袋本体は外面フィルム層と内面フィルム層の２層からなり、前記外面フィルム層は低密度ポリエチレン樹脂からなるフィルム層であり、前記内面フィルム層は除菌剤及び消臭剤を混練した高密度ポリエチレン樹脂からなるフィルム層であり、前記内面フィルム層は外面フィルム層より薄く形成されたものである。
【０００７】
また、請求項２記載の本発明の使用済み汚臭物廃棄袋は、請求項１記載の使用済み汚臭物廃棄袋の構成において、樹脂に混練する除菌剤はサリチル酸メチル又はクレゾールであり、消臭剤はメントールであるものである。
【０００８】
また、請求項３記載の本発明の使用済み汚臭物廃棄袋は、請求項１又は２記載の使用済み汚臭物廃棄袋の構成において、縛り紐は袋本体の袋入口の近傍に設けられているものである。
【０００９】
また、請求項４記載の本発明の使用済み汚臭物廃棄袋は、請求項１、２又は３記載の使用済み汚臭物廃棄袋の構成において、縛り紐はポリエチレン又はポリプロピレンの延伸ヤーンによって形成されたものである。
【発明の効果】
【００１０】
本発明の使用済み汚臭物廃棄袋では、外面フィルム層より薄い内面フィルム層に除菌剤及び消臭剤を含んでいるので、袋本体に入れた汚れ物から繁殖する大腸菌等の雑菌を除菌剤で殺菌することができ、前記汚れた物から発生する悪臭も消臭剤によって消臭することができ、衛生的に、また悪臭を周囲に漂わせることなく汚れた物を処分することができる。また、袋本体も２層であるので強度にも紙オムツ等を入れて処分するのに何ら問題を生じることがない。また、袋本体は外面フィルム層を内面フィルム層より厚くして袋本体の強度を高め、臭気、雑菌の外への漏れを防止できるとともに、外面フィルム層より薄い内面フィルム層に除菌剤及び消臭剤を含ませてあるので、袋本体内の汚れた物から発生する悪臭や雑菌に対しても効果的に消臭、殺菌を施すことができる。また、縛り紐によって袋本体の袋入口の周囲を縛ったりして封じることにより、前記袋入口からの悪臭や雑菌の漏れを防止することができる。
【発明を実施するための最良の形態】
【００１１】
以下、本発明を実施するための最良の形態を図に基づいて説明する。
図１は一例の使用済み汚臭物廃棄袋の斜視図であり、図２は袋本体の一部の拡大横断面を示す説明図である。
【００１２】
図中符合１は本発明に係る使用済み汚臭物廃棄袋（以下、廃棄袋１という。）であり、この廃棄袋１は袋本体２と縛り紐３とによって構成されている。
【００１３】
前記袋本体２は、ポリエチレン樹脂を基材にして形成された外面フィルム層６と内面フィルム層７の２層からなる適宜の大きさの袋であり、外面フィルム層６と内面フィルム層７とは、廃棄袋１の製造過程で２枚の各フィルム層６、７を重ね合わせて密着し１枚のフィルム層のように形成してある。
【００１４】
また、前記内面フィルム層７は外面フィルム層６より薄く形成されている。すなわち、前記外面フィルム層６は低密度ポリエチレン樹脂からなる厚さ３０〜４０μ（ミクロン）、Ｍｉ（メルトフローインデックス）１〜２、密度０．９２０〜０．９２４のＬＬＰＥのフィルム層であり、内面フィルム層７は除菌剤及び消臭剤を混練した高密度ポリエチレン樹脂からなる厚さ１５〜２０μ（ミクロン）、Ｍｉ（メルトフローインデックス）０．０３〜０．０８、密度０．９５０〜０．９６０のＨＤＰＥのフィルム層である。そして前記袋本体２は、外面フィルム層６と内面フィルム層７との合計厚さを６０μ以下にしたフィルム８を使用して形成してある。なお、内面フィルム層７が外面フィルム層６より薄く、合計厚さが６０μ以下であれば、内面フィルム層７並びに外面フィルム層６の各厚さは、前記した各μの範囲での如何なる厚さの重ね合わせ層であってもよい。
【００１５】
また、前記内面フィルム層７は高密度ポリエチレン樹脂であるため、袋本体２の汚臭物を収納した場合、汚臭物に着いている例えばホックやファスナ等が内面フィルム層７の内面を引っかくようなことがあっても、硬くて破れたりすることがない。また袋本体２を手で強く握ったりして硬い内面フィルム層７にひび割れが生じたとしても、柔らかい低密度ポリエチレン樹脂からなる外面フィルム層６によって前記内面フィルム層７が被覆されているので、袋本体２から悪臭が外に漏れるといったこともない。また、外面フィルム層６が前記したように柔らかい低密度ポリエチレン樹脂で形成されているので常に柔軟性を保っていて、柔らかい感触で袋本体２を持つことができ、取り扱い時の手に受ける感触も良い。また、薄い内面フィルム層７を厚い外面フィルム層６で被覆するように重ね合わせることにより、袋本体２の強度を強くすることができる。
【００１６】
また、前記した袋本体２の上部には、横長に開口して袋入口４を形成してある。この袋入口２の近傍には袋本体２の上部を縛って前記袋入口２を封じる縛り紐５が設けてある。縛り紐５はポリエチレン又はポリプロピレンの延伸ヤーンによって形成されたものである。前記袋入口４を封じる場合は、袋本体２の袋入口４部分を持って側方に出ている縛り紐５の一部を引っ張ることにより袋本体２の袋入口４は萎み、引っ張った縛り紐５を袋入口４付近に結びつけることにより、簡単にかつ確実に袋入口４を封じることができる。
【００１７】
また、前記した除菌剤の例としてはサリチル酸メチル又はクレゾール等が使用され、消臭剤の例としてはメントール等が使用されている。
【００１８】
この廃棄袋１を使用する場合は、使用済みの例えば紙オムツやパンツ等の汚臭物を袋入口４から袋本体２内に入れ、袋入口４近傍を縛り紐５で結んで袋入口４を封じておく。このようにすることにより袋本体２内の前記汚臭物から出る悪臭は内面フィルム層７の内面及び中に含まれる消臭剤によって消臭され、周囲に悪臭が漂うのを防止することができる。また,前記汚臭物による雑菌の発生も内面フィルム層７の内面及び中に含まれる除菌剤の作用によって除菌される。したがって、使用済み用品等の汚臭物は、廃棄袋１に入れることにより衛生的に廃棄処分することができる。
【００１９】
なお、本発明の廃棄袋１は、図示のように袋本体２に縛り紐３が固着させているものであっても、或いは袋本体２と縛り紐３とが分離されていて袋入口４を封じるときに袋本体２の袋入口４近傍を縛るものであってもよい。また、縛り紐は袋本体２の袋入口４を封じるマジックテープ（登録商標）であってもよい。さらに縛り紐は単数又は複数のボタンやホック等を備えて、袋本体２の袋入口４を封じた後にボタンやホック等を縛り紐３に設けた係止部に係止できるようにしたものでもよい。勿論、縛り紐は袋本体２の袋入口４を封じることができれば如何なる構成のものであってもよい。また、前記袋本体２の形状も図示の形状に限定されるものではなく、丸形、正方形、多角形、台形、又はその他の形状であってもよい。また、袋本体２の袋入口４の形成箇所も、袋本体２の上部に限らず中央部や側辺部等、適宜の箇所に形成してもよい。また、内面フィルム層７においては、高密度ポリエチレン樹脂に対する除菌剤及び消臭剤の配合量の割合は特に限定されるものではなく、袋本体２内に入れて使用済み汚臭物に対する除菌、消臭の効果が得られれば高密度ポリエチレン樹脂に対して如何なる配合割合であってもよい。
【図面の簡単な説明】
【００２０】
【図１】本発明の一例の廃棄袋の斜視図である。
【図２】本発明に係る袋本体の一部の拡大横断面を示す説明図である。
【符号の説明】
【００２１】
１    使用済み汚臭物廃棄袋
２    袋本体
４    袋入口
５    縛り紐
６    外面フィルム層
７    内面フィルム層
【図１】
2005067857.tif 000003
【図２】
2005067857.tif 000004